(57)【要約】【課題】イベント参加履歴を反映した印刷物を作製することを可能にする。【解決手段】画像形成装置１は、画像読取部５が読み取った印刷物の画像中に含まれるイベント画像を特定する特定部１０２と、特定部１０２が特定したイベント画像を抽出する抽出部１０３と、イベント画像を記憶するＨＤＤ９２と、新たな被印刷物における画像形成可能領域に第１領域と第２領域とを設定する領域設定部１０４と、第１領域にＨＤＤ９２に記憶されたイベント画像を配置し、第２領域にイベント画像に関連する予め取得済みの新たなイベント画像を配置した画像データを生成する画像データ生成部１０５と、画像データ生成部１０５が生成した前記画像データを用いて新たな被印刷物に画像形成する画像形成部１２と、を備える。【選択図】図３
2019186703.tif 000002
【特許請求の範囲】
【請求項１】
印刷物の画像を読み取る画像読取部と、
前記画像読取部が読み取った前記印刷物の画像中に含まれるイベント画像を特定する特定部と、
前記特定部が特定した前記イベント画像を抽出する抽出部と、
前記抽出部が抽出した前記イベント画像を記憶する記憶部と、
新たな被印刷物における画像形成可能領域に第１領域と第２領域とを設定する領域設定部と、
前記領域設定部が設定した前記第１領域に前記記憶部に記憶された前記イベント画像を配置し、前記領域設定部が設定した前記第２領域に前記イベント画像に関連する予め取得済みの新たなイベント画像を配置した画像データを生成する画像データ生成部と、
前記画像データ生成部が生成した前記画像データを用いて前記新たな被印刷物に画像形成する画像形成部と、を備える画像形成装置。
【請求項２】
前記画像読取部が読み取った前記印刷物の画像中に、前記イベント画像であることを示すコード画像の有無を検出するコード画像検出部と、
前記特定部は、前記コード画像検出部が前記コード画像を検出した場合に、当該コード画像が示す画像を、前記イベント画像として特定する請求項１に記載の画像形成装置。
【請求項３】
前記画像データ生成部は、前記領域設定部が設定した前記第１領域に前記記憶部に記憶された前記イベント画像を配置し、前記領域設定部が設定した前記第２領域に前記イベント画像に関連する予め取得済みの新たなイベント画像を配置するとともに当該新たなイベント画像についてのコード画像を形成した画像データを生成する請求項２に記載の画像形成装置。
【請求項４】
操作者による範囲指定の操作に従って、前記画像読取部が読み取った前記印刷物の画像に対する範囲を指定する範囲指定部を備え、
前記特定部は、前記範囲指定部が指定した前記範囲の画像を、前記イベント画像として特定する、請求項１に記載の画像形成装置。
【請求項５】
請求項１乃至請求項４のいずれかに記載の画像形成装置と、情報処理装置とを備え、
前記情報処理装置は、
操作者により撮影操作される撮影部と、
操作者により文字入力の操作を受け付ける文字入力部と、
前記撮影部にて撮影した撮影データと、前記文字入力部に入力された文字データとのうちの少なくとも一方による画像を、前記新たなイベント画像として取得するイベント画像取得部と、
前記イベント画像取得部が取得した前記新たなイベント画像を出力する出力部と、を備え、
前記画像形成装置の画像データ生成部は、前記領域設定部が設定した前記第１領域に前記記憶部に記憶された前記イベント画像を配置し、前記領域設定部が設定した前記第２領域に前記出力部から出力された前記新たなイベント画像を配置した画像データを生成する画像形成システム。
【請求項６】
印刷物の画像を読み取る画像読取ステップと、
前記画像読取ステップにて読み取った前記印刷物の画像中に含まれるイベント画像を特定する特定ステップと、
前記特定ステップにて特定した前記イベント画像を抽出する抽出ステップと、
前記抽出ステップにて抽出した前記イベント画像を記憶する記憶ステップと、
新たな被印刷物における画像形成可能領域に第１領域と第２領域とを設定する領域設定ステップと、
前記領域設定ステップにて設定した前記第１領域に前記記憶部に記憶された前記イベント画像を配置し、前記領域設定ステップにて設定した前記第２領域に前記イベント画像に関連する予め取得済みの新たなイベント画像を配置した画像データを生成する画像データ生成ステップと、
前記画像データ生成ステップにて生成した前記画像データを用いて前記新たな被印刷物に画像形成する画像形成ステップと、を備える画像形成方法。
【発明の詳細な説明】
【技術分野】
【０００１】
本発明は、画像形成装置、画像形成システムおよび画像形成方法に関し、特に、イベント参加履歴を反映した印刷物を作製するための技術に関する。
【背景技術】
【０００２】
特許文献１には、団扇などの記録媒体を搬送する搬送ユニットと、搬送ユニットにて搬送された団扇にインクを吐出する印字ヘッドとを備え、団扇に画像を形成する画像形成装置が開示されている。例えば、上記団扇としては、コンサート又は出演者に関する画像が形成された団扇があり、コンサート会場でコンサート記念品として販売されている。
【先行技術文献】
【特許文献】
【０００３】
【特許文献１】特開２００６−３２６８５６号公報
【発明の概要】
【発明が解決しようとする課題】
【０００４】
しかしながら、特許文献１の画像形成装置では、画像を形成した団扇（印刷物）を作製するだけである。例えばコンサート記念品としての団扇（印刷物）の場合には、コンサートの来場者は事前に作製された団扇を購入することしかできない。熱烈な来場者であれば、コンサートに参加する毎に団扇を購入し、多くの団扇を持ち合わせることで、参加履歴の多さを周囲にアピールしたいところであるが、多くの団扇を持ち合わせることは実際的でない。すなわち、上記の画像形成装置では、イベント（コンサートなど）参加履歴を反映した印刷物（団扇など）を作製するようなことはできない。
【０００５】
本発明は、上記の事情に鑑みなされたものであり、イベント参加履歴を反映した印刷物を作製することを可能にすることを目的とする。
【課題を解決するための手段】
【０００６】
本発明の一局面にかかる画像形成装置は、印刷物の画像を読み取る画像読取部と、前記画像読取部が読み取った前記印刷物の画像中に含まれるイベント画像を特定する特定部と、前記特定部が特定した前記イベント画像を抽出する抽出部と、前記抽出部が抽出した前記イベント画像を記憶する記憶部と、新たな被印刷物における画像形成可能領域に第１領域と第２領域とを設定する領域設定部と、前記領域設定部が設定した前記第１領域に前記記憶部に記憶された前記イベント画像を配置し、前記領域設定部が設定した前記第２領域に前記イベント画像に関連する予め取得済みの新たなイベント画像を配置した画像データを生成する画像データ生成部と、前記画像データ生成部が生成した前記画像データを用いて前記新たな被印刷物に画像形成する画像形成部と、を備えるものである。
【０００７】
また、本発明の別の一局面にかかる画像形成システムは、上記画像形成装置と、情報処理装置とを備え、前記情報処理装置は、操作者により撮影操作される撮影部と、操作者により文字入力の操作を受け付ける文字入力部と、前記撮影部にて撮影した撮影データと、前記文字入力部に入力された文字データとのうちの少なくとも一方による画像を、前記新たなイベント画像として取得するイベント画像取得部と、前記イベント画像取得部が取得した前記新たなイベント画像を出力する出力部と、を備え、前記画像形成装置の画像データ生成部は、前記領域設定部が設定した前記第１領域に前記記憶部に記憶された前記イベント画像を配置し、前記領域設定部が設定した前記第２領域に前記出力部から出力された前記新たなイベント画像を配置した画像データを生成するものである。
【０００８】
また、本発明の別の一局面にかかる画像形成方法は、印刷物の画像を読み取る画像読取ステップと、前記画像読取ステップにて読み取った前記印刷物の画像中に含まれるイベント画像を特定する特定ステップと、前記特定ステップにて特定した前記イベント画像を抽出する抽出ステップと、前記抽出ステップにて抽出した前記イベント画像を記憶する記憶ステップと、新たな被印刷物における画像形成可能領域に第１領域と第２領域とを設定する領域設定ステップと、前記領域設定ステップにて設定した前記第１領域に前記記憶部に記憶された前記イベント画像を配置し、前記領域設定ステップにて設定した前記第２領域に前記イベント画像に関連する予め取得済みの新たなイベント画像を配置した画像データを生成する画像データ生成ステップと、前記画像データ生成ステップにて生成した前記画像データを用いて前記新たな被印刷物に画像形成する画像形成ステップと、を備えるものである。
【発明の効果】
【０００９】
本発明によれば、イベント参加履歴を反映した印刷物を作製することを可能にすることができる。
【図面の簡単な説明】
【００１０】
【図１】本発明の第１実施形態にかかる画像形成システムを構成する情報処理装置及び画像形成装置の外観を示す図である。
【図２】第１実施形態の画像形成システムの構成を示すブロック図である。
【図３】第１実施形態の画像形成装置の主要内部構成例を示す機能ブロック図である。
【図４】第１実施形態のイベント画像取得処理の一例を示すフローチャートである。
【図５】第１実施形態のイベント画像の画像形成処理の一例を示すフローチャートである。
【図６】（Ａ）は読み取り画像の一例を示す図、（Ｂ）は印刷可能領域に設定された第１、第２領域の一例を示す図、（Ｃ）は読み取ったイベント画像が第１領域に配置された例を示す図である。
【図７】（Ａ）は撮影画像の一例を示す図、（Ｂ）は撮影画像を新たなイベント画像として第２領域に配置した例を示す図である。
【図８】（Ａ）は確認画面の一例を示す図、（Ｂ）は新たに作製された団扇の一例を示す図である。
【図９】第２実施形態の画像形成装置の主要内部構成例を示す機能ブロック図である。
【図１０】第２実施形態のイベント画像の画像形成処理の一例を示すフローチャートである。
【図１１】（Ａ）は読み取り画像に対する範囲指定の一例を示す図、（Ｂ）は印刷可能領域に設定された第１、第２領域の一例を示す図、（Ｃ）は範囲指定したイベント画像が第１領域に配置された例を示す図である。
【発明を実施するための形態】
【００１１】
以下、本発明の第１実施形態の画像形成装置および画像形成システムについて図面を参照して詳細に説明する。
【００１２】
図１は、本発明の第１実施形態にかかる画像形成システムを構成する情報処理装置及び画像形成装置の外観を示す図である。図２は、第１実施形態の画像形成システムの構成を示すブロック図である。
【００１３】
第１実施形態の画像形成システム３００は、情報処理装置２００と、画像形成装置１とを備える。情報処理装置２００には、イベント画像取得アプリケーションがインストールされている。このイベント画像取得アプリケーションは、操作者（例えばユーザー）の撮影操作により撮影部２２６で撮影された撮影データと、タッチパネル２２３に入力された文字データとのうちの少なくとも一方による画像を、新たなイベント画像として取得するプログラムである。情報処理装置２００は、後述する制御ユニット２１０がイベント画像取得アプリケーションを実行することにより、撮影部２２６で撮影された撮影画像と、タッチパネル２２３に文字入力された文字画像の少なくとも一方による画像を新たなイベント画像として取得し、この新たなイベント画像データを画像形成装置１に出力することが可能となる。なお、イベント画像としては、コンサート、フェスティバル、大会、遊園地などの各種イベントの画像が含まれる。本実施形態では、イベント画像はコンサート画像であるとして説明する。
【００１４】
情報処理装置２００は、例えば、タブレット型コンピューターなどの携帯端末装置であって、制御ユニット２１０と、表示部２２２と、タッチパネル２２３と、通信部２２４と、撮影部２２６と、記憶部２３０とを備えている。これらの構成要素は、互いにバスを通じてデータ又は信号の送受信が可能とされている。
【００１５】
表示部２２２は、液晶ディスプレイ（ＬＣＤ：Liquid Crystal Display）や有機ＥＬ（ＯＬＥＤ：Organic Light-Emitting Diode）などから構成される。
【００１６】
タッチパネル２２３は、所謂抵抗膜方式や静電容量方式等のタッチパネルである。タッチパネル２２３は、表示部２２２の画面に配置され、表示部２２２の画面に対する指などの接触をその接触位置と共に検知する。タッチパネル２２３は、指などの接触を検知すると、その接触位置の座標を示す検知信号を制御ユニット２１０の制御部２１１などに出力する。従って、タッチパネル２２３は、表示部２２２の画面に対するユーザー操作が入力される操作部としての役割を果たす。また、タッチパネル２２３は、文字入力の操作を受け付ける。なお、タッチパネル２２３は、特許請求の範囲における文字入力部の一例となる。
【００１７】
また、情報処理装置２００は、ユーザー操作が入力される操作部として、上記のタッチパネル２２３に加えてハードキーを備えてもよい。
【００１８】
通信部２２４は、不図示のＬＡＮチップなどの通信モジュールを備える通信インターフェイスである。通信部２２４は、画像形成装置１との通信機能を有する。なお、通信部２２４は、特許請求の範囲における出力部の一例となる。
【００１９】
撮影部２２６は、例えばカメラである。撮影部２２６は、例えば、ユーザーによる撮影操作により、イベント画像に関連する新たなイベント画像を撮影するために使用される。なお、イベント画像（例えばコンサート画像）に関連する新たなイベント画像（コンサート画像）としては、先のコンサート画像の出演者と同一又は一部が共通する出演者のコンサート画像、先のコンサート画像のコンサート名と同一又は一部が共通するコンサート名のコンサート画像などが含まれる。
【００２０】
記憶部２３０は、大容量のＳＳＤ（Solid State Drive）、ＨＤＤ（Hard Disk Drive）などからなり、各種のデータやプログラムを記憶している。
【００２１】
制御ユニット２１０は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット２１０は、上記のＲＯＭ又は記憶部２３０に記憶された制御プログラムが上記プロセッサーで実行されることにより、制御部２１１、通信制御部２１２、イベント画像取得部２１３、表示制御部２１７として機能する。なお、制御ユニット２１０の上記の各構成要素は、前述の制御プログラムに基づく動作によらず、それぞれハード回路により構成されてもよい。
【００２２】
制御部２１１は、情報処理装置２００の全体的な動作制御を司る。また、制御部２１１は、表示部２２２、タッチパネル２２３、通信部２２４、記憶部２３０および撮影部２２６などと接続されており、上記各構成要素の動作制御や、各構成要素との間での信号またはデータの送受信を行う。通信制御部２１２は、通信部２２４の通信動作を制御する機能を有する。表示制御部２１７は、制御部２１１による制御の下、表示部２２２の表示動作を制御する。
【００２３】
また、制御部２１１は、タッチパネル２２３から出力される検知信号に基づき、ユーザーにより入力されたユーザー操作を特定する。例えば、ユーザー操作としては、タッチ操作（タップ操作）、ダブルタップ操作、文字入力操作などがある。そして、制御部２１１は、特定したユーザー操作に応じた制御を行う。例えば、図１に示す表示部２２２の画面に表示されたイベント画像取得アプリケーションを示すアイコン（画像表示）２２５に対して、ユーザーがダブルタップ操作を行うと、タッチパネル２２３によるタッチ機能により、その接触位置の座標を示し且つダブルタップ操作を示す検出信号が制御部２１１に出力され、制御部２１１は、かかる検出信号に基づいて、イベント画像取得アプリケーションを起動する。このイベント画像取得アプリケーションに従って操作等を行うことにより、撮影部２２６で撮影された撮影画像と、タッチパネル２２３に文字入力された文字画像の少なくとも一方による画像を新たなイベント画像として取得し、この新たなイベント画像データを画像形成装置１に出力することが可能となっている。詳細については後述する。
【００２４】
イベント画像取得部２１３は、撮影部２２６にて撮影した撮影データと、タッチパネル２２３に入力された文字データとのうちの少なくとも一方による画像を、新たなイベント画像として取得する。本実施形態では、イベント画像取得部２１３は、操作者（例えばユーザー）の撮影操作により撮影部２２６で撮影された撮影データによる撮影画像（例えば、後述する図７（Ａ）に示す撮影画像Ｇ２）、新たなイベント画像として取得する。
【００２５】
タッチパネル２２３は、表示部２２２に表示された新たなイベント画像（例えば、図７（Ａ）に示す撮影画像Ｇ２）を出力することについての出力指示を受け付ける。
【００２６】
通信部２２４は、タッチパネル２２３が出力指示を受け付けると、新たなイベント画像（例えば、図７（Ａ）に示す撮影画像Ｇ２）を示す撮影データを画像形成装置１に出力する。
【００２７】
次に、画像形成装置１について図面を参照して説明する。画像形成装置１は、例えば、コピー機能、プリンター機能、スキャナー機能、及びファクシミリ機能のような複数の機能を兼ね備えた複合機である。
【００２８】
図１に示すように、画像形成装置１は、装置本体２と、装置本体２の上方に配置された画像読取部５と、画像読取部５と装置本体２との間に設けられた連結部３とから構成される。
【００２９】
画像形成装置１の外郭を構成する筐体７には、画像形成装置１の様々な機能を実現するための複数の構成機器が収容されている。例えば、筐体７には、画像読取部５、画像形成部１２（図３）、定着部１３（図３）、給紙部３０等が収容されている。
【００３０】
画像読取部５は、原稿搬送部６と、原稿搬送部６により搬送されてくる原稿又は不図示のコンタクトガラスに載置された原稿を光学的に読み取るスキャナーとを有するＡＤＦ（Auto Document Feeder）である。画像形成装置１が画像読取動作を行う場合、画像読取部５は、原稿搬送部６により搬送されてくる原稿又は不図示のコンタクトガラスに載置された原稿を１枚ずつ読み取ることで、原稿の画像を取得する。例えば、画像読取部５は、団扇などの印刷物の画像を読み取る場合には、不図示のコンタクトガラスに載置された当該団扇（印刷物）を光学的に読み取る。
【００３１】
画像形成部１２は、感光体ドラム、帯電装置、露光装置、現像装置、及び転写装置を備え、画像読取部５によって読み取られた画像や、ネットワーク接続された情報処理装置２００や他のファクシミリ装置から送られてくる印刷データを用いて、給紙部３０から供給される記録紙に画像を形成（印刷）する。画像形成済みの記録紙は定着部１３による定着処理を受けた後、排出トレイ４に排出される。
【００３２】
操作部４７は、例えば、当該画像形成装置１により可能な機能の実行を指示するためのスタートキーやユーザー（操作者）の操作を確定させる決定キー（エンターキー）、更に、数値入力を行うための数値入力キー等を備える。
【００３３】
また、操作部４７は、ユーザーへの操作案内等を表示する表示部４７３を備えている。表示部４７３はタッチパネルになっており、ユーザーは表示部４７３に表示される画像やアイコンに触れることで画像形成装置１を操作することができる。
【００３４】
次に、画像形成装置１の構成を説明する。図３は画像形成装置１の主要内部構成例を示す機能ブロック図である。
【００３５】
画像形成装置１は、制御ユニット１０を備える。制御ユニット１０は、プロセッサー、ＲＡＭ(Random Access Memory）、及びＲＯＭ（Read Only Memory）などから構成される。プロセッサーは、ＣＰＵ（Central Processing Unit）、ＭＰＵ(Micro-Processing Unit）、又はＡＳＩＣ（Application Specific Integrated Circuit）等である。
【００３６】
画像読取部５は、制御ユニット１０による制御の下、光照射部及びＣＣＤセンサー等を有する読取機構を備える。画像読取部５は、光照射部により原稿を照射し、その反射光をＣＣＤセンサーで受光することにより、原稿から画像を読み取る。例えば、画像読取部５は、団扇などの印刷物の画像を読み取る場合には、不図示のコンタクトガラスに載置された当該団扇（印刷物）を光照射部により照射し、その反射光をＣＣＤセンサーで受光することにより、団扇（印刷物）から画像を読み取る。
【００３７】
画像処理部３１は、画像読取部５で読み取られた原稿画像又は団扇（印刷物）画像を、必要に応じて画像処理する。例えば、画像処理部３１は、画像読取部５により読み取られた画像が画像形成部１２により画像形成された後の品質を向上させるために、シェーディング補正等の予め定められた画像処理を行う。
【００３８】
画像メモリー３２は、画像読取部５による読取で得られた原稿画像又は団扇（印刷物）画像を一時的に記憶したり、画像形成部１２による画像形成の対象となる画像を一時的に保存したりする領域である。
【００３９】
画像形成部１２は、画像読取部５で読み取られた原稿画像、ネットワーク接続された情報処理装置２００から受信した印刷データ等の画像形成を行う。第１実施形態では、画像形成部１２は、後述するように、画像読取部５で読み取られた団扇（印刷物）画像中のイベント画像と、情報処理装置２００から受信した撮影データ（新たなイベント画像）とからなる画像データを用いて、図８（Ｂ）に示す画像Ｐを記録媒体に画像形成する。
【００４０】
定着部１３は、画像形成部１２の画像形成処理により表面に画像（トナー像）が形成された記録紙を加熱し、熱圧着により当該画像を記録しに定着させる定着処理を行う。
【００４１】
操作部４７は、画像形成装置１が実行可能な各種動作及び処理についてユーザーからの指示を受け付ける。操作部４７は、ユーザーへの操作案内等を表示する表示部４７３を備えている。
【００４２】
ファクシミリ通信部７１は、図略の符号化／復号化部、変復調部及びＮＣＵ（Network Control Unit）を備え、公衆電話回線網を用いてのファクシミリの送受信を行うものである。
【００４３】
ネットワークインターフェイス部９１は、ＬＡＮボード等の通信モジュールから構成され、当該ネットワークインターフェイス部９１に接続されたＬＡＮ等を介して、情報処理装置２００と種々のデータの送受信を行う。特に、ネットワークインターフェイス部９１は、情報処理装置２００からの新たなイベント画像（例えば、図７（Ａ）に示す撮影画像Ｇ２）を示す撮影データを受信する。
【００４４】
ＨＤＤ（Hard Disk Drive）９２は、各種のデータやプログラム、画像読取部５によって読み取られた原稿画像等を記憶する大容量の記憶装置である。例えば、ＨＤＤ９２は、後述する抽出部１０３が抽出したイベント画像Ｇ１を記憶する。なお、ＨＤＤ９２は、特許請求の範囲における記憶部の一例となる。
【００４５】
駆動モーター７０は、画像形成部１２や定着部１３等における各回転部材及び搬送ローラー対等に回転駆動力を付与する駆動源である。
【００４６】
制御ユニット１０は、制御部１００と、コード画像検出部１０１と、特定部１０２と、抽出部１０３と、領域設定部１０４と、画像データ生成部１０５とを備える。制御ユニット１０は、ＨＤＤ９２に記憶された制御プログラムが上記プロセッサーで実行されることにより、制御部１００と、コード画像検出部１０１と、特定部１０２と、抽出部１０３と、領域設定部１０４と、画像データ生成部１０５として機能する。なお、制御ユニット１０の上記の各構成要素は、前述の制御プログラムに基づく動作によらず、それぞれハード回路により構成されてもよい。
【００４７】
制御部１００は、画像形成装置１の全体的な動作制御を司る。また、制御部１００は、画像読取部５、原稿搬送部６、画像処理部３１、画像メモリー３２、画像形成部１２、定着部１３、操作部４７、表示部４７３、ファクシミリ通信部７１、ネットワークインターフェイス部９１、及びＨＤＤ（ハードディスクドライブ）９２等と接続され、これら各部の駆動制御を行う。
【００４８】
コード画像検出部１０１は、図６（Ａ）に示すように、画像読取部５が読み取った団扇（印刷物）の画像ＰＧ中に、イベント画像Ｇ１であることを示すコード画像Ｃ１の有無を検出する。コード画像Ｃ１は、例えば既知の二次元コード、バーコードなどの画像であり、イベント画像であることを示す情報、イベント画像の領域を示す位置情報などが盛り込まれた画像である。コード画像検出部１０１は、例えば既知の二次元コードの読み取り機能により構成され、画像読取部５が読み取った団扇の画像ＰＧ中に二次元コードの有無を検出し、二次元コード画像が有れば、その符号化された内容（イベント画像Ｇ１であることを示す情報）を検出することが可能である。
【００４９】
特定部１０２は、画像読取部５が読み取った団扇（印刷物）の画像ＰＧ中に含まれるイベント画像Ｇ１を特定する。本実施形態では、特定部１０２は、コード画像検出部１０１がコード画像Ｃ１を検出した場合に、コード画像Ｃ１が示す画像（例えば、イベント画像の領域を示す位置情報により特定される領域に属する画像）を、イベント画像Ｇ１として特定する。なお、特定部１０２は、既知のエッジ検出処理により、コード画像Ｃ１を含む領域又はコード画像Ｃ１の近傍に位置する領域について輪郭が抽出された画像をイベント画像Ｇ１として特定するようにしてもよい。
【００５０】
抽出部１０３は、特定部１０２が特定したイベント画像Ｇ１を抽出する。例えば、抽出部１０３は、既知の画像トリミング（切り抜き）処理により、特定部１０２が特定したイベント画像Ｇ１を切り抜く。なお、制御部１００は、抽出部１０３が抽出したイベント画像Ｇ１をＨＤＤ９２に記憶させる。
【００５１】
領域設定部１０４は、図６（Ｂ）に示すように、新たな団扇（新たな被印刷物）における画像形成可能領域ＡＰに第１領域Ａ１と第２領域Ａ２とを設定する。例えば、領域設定部１０４は、新たな団扇（新たな被印刷物）における画像形成可能領域ＡＰを例えば二分し、一方の領域のうちの予め定められた範囲を第１領域Ａ１と設定し、他方の領域のうちの予め定められた範囲を第２領域Ａ２と設定する。なお、領域設定部１０４は、操作者による操作部４７に対する領域変更操作に従って、第１領域Ａ１と第２領域Ａ２との範囲を変更してもよい。
【００５２】
画像データ生成部１０５は、図６（Ｃ）に示すように領域設定部１０４が設定した第１領域Ａ１にＨＤＤ９２に記憶されたイベント画像Ｇ１を配置し、図７（Ｂ）に示すように、領域設定部１０４が設定した第２領域Ａ２に、イベント画像Ｇ１に関連する予め取得済みの新たなイベント画像（例えば、図７（Ａ）に示す撮影画像Ｇ２）を配置するとともに当該新たなイベント画像についてのコード画像Ｃ２を形成した画像データを生成する。なお、画像データ生成部１０５は、図６（Ｃ）に示すように領域設定部１０４が設定した第１領域Ａ１にＨＤＤ９２に記憶されたイベント画像Ｇ１が収まるように縮小（あるいは拡大）して配置する。このとき、画像データ生成部１０５は、イベント画像Ｇ１の縦横比を維持あるいは変更して第１領域Ａ１に縮小等して配置すればよい。また、画像データ生成部１０５は、図７（Ｂ）に示すように、領域設定部１０４が設定した第２領域Ａ２に、新たなイベント画像（例えば、図７（Ａ）に示す撮影画像Ｇ２）が収まるように縮小（あるいは拡大）して配置する。このとき、画像データ生成部１０５は、新たなイベント画像（撮影画像Ｇ２）の縦横比を維持あるいは変更して第２領域Ａ２に縮小等して配置すればよい。
【００５３】
次に、第１実施形態の情報処理装置２００において、新たなイベント画像（例えば、図７（Ａ）に示す撮影画像Ｇ２）を取得するイベント画像取得処理を、図４に示すフローチャートなどを参照して説明する。
【００５４】
まず、情報処理装置２００において、図１に示す表示部２２２のイベント画像取得アプリケーションを示すアイコン２２５がユーザーによりダブルタップ操作がされると、この操作がタッチパネル２２３によるタッチ機能により検出され、制御部２１１は、タッチパネル２２３からの検出信号に基づいてイベント画像取得アプリケーションを起動する（Ｓ１１）。
【００５５】
表示制御部２１７は、制御部２１１が実行するイベント画像取得アプリケーションの処理に従い、ユーザーに対して、コンサート会場等の撮影を促す画面表示（例えば、「コンサート会場の内外で撮影可能な被写体を撮影してください」などの表示）を表示部２２２に表示させる。情報処理装置２００が撮影部２２６を起動させ、撮影可能状態となる。
【００５６】
撮影部２２６は、例えば、ユーザーによる撮影操作に従い、コンサート会場等を撮影する（Ｓ１２）。例えば、コンサート会場前に設置されたコンサート名などが表示された看板や会場風景などを撮影する。例えば、撮影部２２６にてコンサート会場等が撮影されると、記憶部２３０は、例えば図７（Ａ）に示すように撮影画像Ｇ２を新たなイベント画像として記憶する（Ｓ１３）。そして、表示制御部２１７は、記憶部２３０に記憶された撮影データによる撮影画像Ｇ２を、表示部２２２に表示させる。
【００５７】
タッチパネル２２３は、表示部２２２に表示された撮影画像Ｇ２を出力することについての出力指示を受け付ける（Ｓ１４）。ユーザーが、表示部２２２に表示された撮影画像Ｇ２でよいと判断し、ユーザーが不図示のＯＫキーをタッチ操作し、タッチパネル２２３（出力指示受付部）が前記ＯＫキーへのタッチ操作を検出した場合、つまり出力指示あり（Ｓ１４「Ｙｅｓ」）には、通信部２２４は、図７（Ａ）に示す撮影画像Ｇ２の画像データを画像形成装置１に送信（出力）し（Ｓ１５）、本処理を終了する。画像形成装置１は、ネットワークインターフェイス部９１が受信した図７（Ａ）に示す撮影画像Ｇ２を制御部１００がＨＤＤ９２に記憶させる。
【００５８】
一方、図４に示すＳ１４において、ユーザーが、図７（Ａ）に示す撮影画像Ｇ２でよくないと判断し、ユーザーが不図示のキャンセルキーをタッチ操作し、タッチパネル２２３（出力指示受付部）がキャンセルキーへのタッチ操作を検出した場合、つまり出力指示なしの場合（Ｓ１４「Ｎｏ」）には、制御部２１１は、本処理を終了する。
【００５９】
次に、第１実施形態の画像形成装置１におけるイベント画像の画像形成処理を、図５に示すフローチャートなどを参照して説明する。
【００６０】
ユーザーは、過去のコンサート会場で購入したコンサート記念品である団扇（印刷物）を、画像形成装置１の不図示のコンタクトガラス上に載置する。画像形成装置１の画像読取部５は、団扇などの印刷物の画像を光学的に読み取る（Ｓ２１：画像読取ステップ）。
【００６１】
コード画像検出部１０１は、図６（Ａ）に示すように、画像読取部５が読み取った団扇（印刷物）の画像ＰＧ中に、イベント画像Ｇ１であることを示すコード画像Ｃ１の有無を検出する（Ｓ２２）。
【００６２】
コード画像検出部１０１がコード画像Ｃ１を検出した場合（Ｓ２２「Ｙｅｓ」）には、特定部１０２は、コード画像検出部１０１がコード画像Ｃ１を検出した場合に、コード画像Ｃ１が示す画像（例えば、イベント画像の領域を示す位置情報により特定される領域に属する画像）を、イベント画像Ｇ１として特定する（Ｓ２３：特定ステップ）。一方、コード画像検出部１０１がコード画像Ｃ１を検出しない場合（Ｓ２２「Ｎｏ」）には、本処理を終了する。
【００６３】
抽出部１０３は、特定部１０２が特定したイベント画像Ｇ１を抽出する（Ｓ２４：抽出ステップ）。例えば、抽出部１０３は、既知の画像トリミング（切り抜き）処理により、特定部１０２が特定したイベント画像Ｇ１を切り抜く。
【００６４】
制御部１００は、抽出部１０３が抽出したイベント画像Ｇ１をＨＤＤ９２に記憶させる（Ｓ２５：記憶ステップ）。
【００６５】
領域設定部１０４は、図６（Ｂ）に示すように、新たな団扇（新たな被印刷物）における画像形成可能領域ＡＰに第１領域Ａ１と第２領域Ａ２とを設定する（Ｓ２６：領域設定ステップ）。
【００６６】
画像データ生成部１０５は、図６（Ｃ）に示すように領域設定部１０４が設定した第１領域Ａ１にＨＤＤ９２に記憶されたイベント画像Ｇ１を配置し、図７（Ｂ）に示すように、領域設定部１０４が設定した第２領域Ａ２に、イベント画像Ｇ１に関連する予め取得済み（ＨＤＤ９２に記憶済み）の新たなイベント画像（例えば、図７（Ａ）に示す撮影画像Ｇ２）を配置するとともに当該新たなイベント画像についてのコード画像Ｃ２を形成した画像データを生成する（Ｓ２７：画像データ生成ステップ）。
【００６７】
制御部１００は、図８（Ａ）に示すように、表示部４７３に、画像データ生成部１０５が生成した画像Ｐを表示させた確認画面を表示させる（Ｓ２８）。
【００６８】
操作部４７は、表示部４７３に表示された図８（Ａ）に示す画像Ｐの画像データを出力することについての出力指示を受け付ける（Ｓ２８）。ユーザーが、表示部４７３に表示された画像Ｐでよいと判断し、ユーザーが不図示のＯＫキーＫ１をタッチ操作し、表示部４７３のタッチパネル機能により、ＯＫキーＫ１へのタッチ操作を検出した場合、つまり出力指示あり（Ｓ２９「Ｙｅｓ」）には、画像形成部１２は、図８（Ｂ）に示す画像Ｐを記録媒体（例えば画像形成面とは反対側がシール面となった記録媒体）に画像形成し（Ｓ３０）、制御部１００は、本処理を終了する。そして、図８（Ｂ）に示すように、画像形成された記録媒体が新たな団扇に張り付けられることにより、イベント参加履歴を反映した団扇（印刷物）が作製される。なお、印刷前の団扇を専用のカートリッジにセットして団扇に直接に画像形成を行うようにしてもよい。
【００６９】
一方、図５に示すＳ２９において、ユーザーが、図８（Ａ）に示す画像Ｐでよくないと判断し、ユーザーがキャンセルキーＫ２をタッチ操作し、表示部４７３のタッチパネル機能により、キャンセルキーＫ２へのタッチ操作を検出した場合、つまり出力指示なしの場合（Ｓ２９「Ｎｏ」）には、制御部１００は、本処理を終了する。
【００７０】
このように第１実施形態では、特定部１０２は、画像読取部５が読み取った団扇（印刷物）の画像ＰＧ中に含まれるイベント画像Ｇ１を特定し、抽出部１０３は、特定部１０２が特定したイベント画像Ｇ１を抽出し、ＨＤＤ９２は、抽出部１０３が抽出したイベント画像Ｇ１を記憶し、領域設定部１０４は、図６（Ｂ）に示すように、新たな団扇（新たな被印刷物）における画像形成可能領域ＡＰに第１領域Ａ１と第２領域Ａ２とを設定し、画像データ生成部１０５は、図６（Ｃ）に示すように領域設定部１０４が設定した第１領域Ａ１にＨＤＤ９２に記憶されたイベント画像Ｇ１を配置し、図７（Ｂ）に示すように、領域設定部１０４が設定した第２領域Ａ２に、イベント画像Ｇ１に関連する予め取得済み（ＨＤＤ９２に記憶済み）の新たなイベント画像（例えば、図７（Ａ）に示す撮影画像Ｇ２）を配置した画像データを生成し、画像形成部１２は、画像データ生成部１０５が生成した前記画像データを用いて前記新たな被印刷物に画像形成する。これにより、イベント参加履歴を反映した印刷物を作製することができる。
【００７１】
また、コード画像検出部１０１は、図６（Ａ）に示すように、画像読取部５が読み取った団扇（印刷物）の画像ＰＧ中に、イベント画像Ｇ１であることを示すコード画像Ｃ１の有無を検出する。これにより、コード画像Ｃ１が形成されていない団扇（印刷物）は、正規の購入品でない可能性が高いため、正規の購入品でない団扇（印刷物）についてはイベント画像Ｇ１として検出されないようにすることができ、イベント参加履歴を不正に反映した印刷物の作製を防止することができる。このため、正規の購入品に限り、イベント参加履歴を反映した印刷物を作製することができる。
【００７２】
また、画像データ生成部１０５は、図７（Ｂ）に示すように、領域設定部１０４が設定した第２領域Ａ２に、イベント画像Ｇ１に関連する予め取得済みの新たなイベント画像（例えば、図７（Ａ）に示す撮影画像Ｇ２）を配置するとともに当該新たなイベント画像についてのコード画像Ｃ２を形成した画像データを生成する。これにより、図８（Ｂ）に示す画像Ｐの団扇の画像を画像読取部５にて読み取る場合には、図８（Ｂ）に示す画像Ｐの第１領域Ａ１のイベント画像Ｇ１及び第２領域Ａ２のイベント画像（撮影画像Ｇ２）の両方とも、新たな団扇（新たな被印刷物）における画像形成可能領域ＡＰの第１領域Ａ１に配置でき、イベント参加履歴を更に更新して反映した印刷物を作製することができる。
【００７３】
次に、第２実施形態に係る画像形成装置１について、図９及び図１０を用いて説明する。図９は、第２実施形態の画像形成装置の構成を示すブロック図である。図１０は、第２実施形態のイベント画像の画像形成処理の一例を示すフローチャートである。
【００７４】
第２実施形態では、画像形成装置１が更に範囲指定部１０６を備えている点が、前述の第１実施形態とは異なるため、範囲指定部１０６について詳細に説明する。なお、図３に示した構成と同じ構成については同符号を付して説明を略する。
【００７５】
第２実施形態の範囲指定部１０６は、操作者（例えばユーザー）による操作部４７への範囲指定の操作に従って、図１１（Ａ）に示すように、画像読取部５が読み取った団扇（印刷物）の画像ＰＧに対する範囲Ａ３を指定する。例えば、範囲指定部１０６は、操作者の操作に従って、図１１（Ａ）では、矩形状領域のうちの右上側の領域を範囲Ａ３として指定している。
【００７６】
そして、前述の実施形態と同様に、領域設定部１０４は、図１１（Ｂ）に示すように、新たな団扇（新たな被印刷物）における画像形成可能領域ＡＰに第１領域Ａ１と第２領域Ａ２とを設定する。
【００７７】
特定部１０２は、図１１（Ｃ）に示すように、範囲指定部１０６が指定した範囲Ａ３の画像を、イベント画像Ｇ１として特定する。
【００７８】
次に、第２実施形態の画像形成装置１におけるイベント画像の画像形成処理を、図１０に示すフローチャートなどを参照して説明する。なお、図１０に示すフローチャートは、Ｓ２２を備えない点、Ｓ４１及びＳ４２を有する点を除いて、本実施形態の図５に示すフローチャートと同じであるため、図１０に示すＳ４１及びＳ４２について説明する。
【００７９】
画像形成装置１の画像読取部５は、団扇などの印刷物の画像を光学的に読み取る（Ｓ２１：画像読取ステップ）。そして、範囲指定部１０６は、操作者（例えばユーザー）による操作部４７への範囲指定の操作に従って、図１１（Ａ）に示すように、画像読取部５が読み取った団扇（印刷物）の画像ＰＧに対する範囲Ａ３を指定する（Ｓ４１）。例えば、範囲指定部１０６は、操作者の操作に従って、図１１（Ａ）では、矩形状領域のうちの右上側の領域を範囲Ａ３として指定している。
【００８０】
特定部１０２は、図１１（Ｃ）に示すように、範囲指定部１０６が指定した範囲Ａ３の画像を、イベント画像Ｇ１として特定する（Ｓ４２）。
【００８１】
このように第２実施形態では、画像読取部５が読み取った団扇（印刷物）の画像ＰＧについて、操作者が指定した範囲（領域Ａ３）の画像を、イベント画像Ｇ１に設定することができ、ユーザーの好みのイベント画像Ｇ１を設定することができる。
【００８２】
なお上記各実施形態では、イベント画像取得部２１３は、撮影部２２６にて撮影した撮影データによる画像を、新たなイベント画像として取得しているが、  タッチパネル２２３に入力された文字データによる画像を、新たなイベント画像として取得してもよいし、撮影データ及び文字データの両方からなる画像を、新たなイベント画像として取得してもよい。
【符号の説明】
【００８３】
１    画像形成装置
５    画像読取部
１２    画像形成部
１００    制御部
１０１    コード画像検出部
１０２    特定部
１０３    抽出部
１０４    領域設定部
１０５    画像データ生成部
１０６    範囲指定部
２００    情報処理装置
２１０    制御ユニット
２１１    制御部
２１７    表示制御部
２２２    表示部
２２３    タッチパネル（文字入力部）
２２６    撮影部
３００    画像形成システム
【図１】
2019186703.tif 000003
【図２】
2019186703.tif 000004
【図３】
2019186703.tif 000005
【図４】
2019186703.tif 000006
【図５】
2019186703.tif 000007
【図６】
2019186703.tif 000008
【図７】
2019186703.tif 000009
【図８】
2019186703.tif 000010
【図９】
2019186703.tif 000011
【図１０】
2019186703.tif 000012
【図１１】
2019186703.tif 000013